(57)【特許請求の範囲】
【請求項１】
開口部がシール部材によって封止されたカップ本体と、前記シール部材を破断して開封する切刃部材が設けられて前記カップ本体に被着される蓋体とを備える蓋付カップ容器であって、
前記蓋体に着脱可能に被着される外蓋を備え、
該外蓋の内側に、前記切刃部材を前記シール部材に向けて押下可能な押下部が突設されており、
前記蓋体が、前記外蓋が被着される側壁部を備え、
前記側壁部には、前記押下部による前記切刃部材の押下時に、前記押下部の前記切刃部材に向けた移動を案内する案内部が径方向内方に向けて連設されることを特徴とする蓋付カップ容器。
【請求項２】
前記蓋体が、前記シール部材の上面を被覆する天面部を有し、
該天面部に、前記切刃部材が通過可能な破断開口部が形成されていることを特徴とする請求項１に記載の蓋付カップ容器。
【請求項３】
前記切刃部材は、基端がヒンジ部を介して前記シール部材の上面を被覆する天面部に接続され、先端が前記ヒンジ部を中心として回動可能であることを特徴とする請求項１または２に記載の蓋付カップ容器。
【請求項４】
前記天面部が、上方に向けて突出する係止凸部を有し、
前記切刃部材が、前記押下部により前記シール部材に向けて押下されて前記ヒンジ部を中心に回動したときに、前記係止凸部に係止されるストッパ凸部を有することを特徴とする請求項３に記載の蓋付カップ容器。
【発明の詳細な説明】
【技術分野】
【０００１】
本発明は、例えば飲料などが充填される蓋付カップ容器に関するものである。
【背景技術】
【０００２】
この種の蓋付カップ容器としては、例えば下記特許文献１に示すように、上方に向けて開口する開口部が形成されてこの開口部をシール部材で封止したカップ本体と、カップ本体の上部にシール部材を破断する切刃部材が設けられてカップに被着される蓋体とを備えるものが提供されている。ここで、切刃部材は、シール部材と対向配置される天面部に設けられており、その下面側（シール部材に対向する側）に下側に向けて突出する切刃が形成されると共に、天面部と連結ヒンジ部にて連結されていて、この連結ヒンジ部を中心として下側に向けて回動可能に構成されている。
【０００３】
このような構成の蓋付カップ容器は、切刃部材を上方から指などで押下して連結ヒンジ部を中心にして下側（シール部材側）へと回動させ、蓋体の下側に向けて突出された切刃によってシール部材を破断して開口し、カップ本体内に充填されている飲料などの内容物を外部へと取り出すことができるものである。
【特許文献１】特開２００５−２２７５７号公報
【発明の開示】
【発明が解決しようとする課題】
【０００４】
しかしながら、上記従来の蓋付カップ容器においても、以下の課題が残されている。すなわち、切刃部材を指で押し込んだ際に指がカップ本体内に入り込んで内容物に触れるおそれがあり、特に内容物が飲料などの食品の場合に衛生上の問題がある。
また、切刃部材を必要以上に強く押下した場合には、内容物に切刃部材や指などが勢いよく入り込んで内容物が外部に飛散するおそれがある。
【０００５】
本発明は、前述の課題に鑑みてなされたもので、切刃部材により開封する際に指などがカップ本体内の内容物に触れることなく衛生的であると共に、内容物が外部に飛散することを防止できる蓋付カップ容器を提供することを目的とする。
【課題を解決するための手段】
【０００６】
本発明は、上記のような課題を解決するために以下のような手段を採用した。すなわち、本発明の蓋付カップ容器は、開口部がシール部材によって封止されたカップ本体と、前記シール部材を破断して開封する切刃部材が設けられて前記カップ本体に被着される蓋体とを備える蓋付カップ容器であって、前記蓋体に着脱可能に被着される外蓋を備え、該外蓋の内側に、前記切刃部材を前記シール部材に向けて押下可能な押下部が突設されており、前記蓋体が、前記外蓋が被着される側壁部を備え、前記側壁部には、前記押下部による前記切刃部材の押下時に、前記押下部の前記切刃部材に向けた移動を案内する案内部が径方向内方に向けて連設されることを特徴とする。
【０００７】
この発明では、開封時にカップ本体の密封が確保されるため、内容物に指などが触れることなく衛生的であると共に、内容物が外部に飛散することを防止できる。すなわち、外蓋が蓋体に被着されているため、切刃部材を指などで直接押下することなく押下部を介して押下することになり、カップ本体内に指などが入り込むことがなくなる。このため、指などが内容物と接触しない。また、蓋体を被着した状態で開封するため、内容物が外蓋の外部に飛散しない。したがって、衛生的であると共に、内容物の外部への飛散を防止できる。
また、押下部が切刃部材に対して位置決めされるため、押下部による安定した切刃部材の押下が行える。
【０００９】
また、本発明の蓋付カップ容器は、前記蓋体が、前記シール部材の上面を被覆する天面部を有し、該天面部に、前記切刃部材が通過可能な破断開口部が形成されていることが好ましい。
この発明では、押下部による切刃部材の押下時に切刃部材の移動が天面部により阻害されないため、押下部による切刃部材の押下が確実に行える。
【００１０】
また、本発明の蓋付カップ容器は、前記切刃部材は、基端がヒンジ部を介して前記シール部材の上面を被覆する天面部に接続され、先端が前記ヒンジ部を中心として回動可能であることが好ましい。
この発明では、切刃部材がヒンジ部を介して天面部に接続されているため、シール部材の破断後に切刃部材が分離することを防止できる。
【００１１】
また、本発明の蓋付カップ容器は、前記天面部が、上方に向けて突出する係止凸部を有し、前記切刃部材が、前記押下部により前記シール部材に向けて押下されて前記ヒンジ部を中心に回動したときに、前記係止凸部に係止されるストッパ凸部を有することが好ましい。
この発明では、ストッパ凸部が係止凸部に係止されることで、シール部材の破断後に切刃部材がヒンジ部を中心として再び回動し、内容物を取り出す際に、この内容物から切刃部材にこの切刃部材を押し戻すような力が作用しても、この移動を抑えてシール部材の開口部分を塞ぐことを防止できる。
【発明の効果】
【００１２】
この発明にかかる蓋付カップ容器によれば、開封時にカップ本体の密封が確保されるため、内容物に指などが触れることなく衛生的であると共に、内容物が外部に飛散することを防止できる。
【発明を実施するための最良の形態】
【００１３】
以下、本発明による蓋付カップ容器の第１の実施形態を、図面に基づいて説明する。なお、以下の説明に用いる各図面では、各部材を認識可能な大きさとするために縮尺を適宜変更している。
【００１４】
本発明における蓋付カップ容器１は、図１及び図２に示すように、例えば飲料などが充填されて流通するものであって、ユーザ（消費者）が購入して当該カップ容器から直接飲料などを飲むことができるものである。
蓋付カップ容器１は、図１に示すように、カップ本体１１と、蓋体１２と、外蓋１３とを備えている。
【００１５】
カップ本体１１は、軸線Ｌに沿って延びる概略有底円筒状をなし、開口部２１により上部に向けて開口する。また、カップ本体１１は、下方に向かうにしたがって縮径するテーパ胴部２２と、テーパ胴部２２の下端部に接続されて軸線Ｌと直交する方向に延びる底部２３とを備えている。
テーパ胴部２２の上端部分には、カップ本体１１の径方向外方に向けて屈曲するフランジ部２４が形成されている。
【００１６】
フランジ部２４の上面には、開口部２１を封止するシール部材２５が貼着されている。
シール部材２５は、例えばアルミ蒸着シートなどのバリア性シート材で構成されており、下面に熱溶着層が形成されている。シール部材２５は、カップ本体１１内に飲料が充填された後にフランジ部２４の上面に熱溶着されており、カップ本体１１内の飲料が外部に漏出しないように封止している。なお、シール部材２５としてバリア性シート材を使用した場合には、空気などがカップ本体１１内に侵入することを防止して飲料の変質を防ぐこともできる。
【００１７】
蓋体１２は、カップ本体１１の開口部２１にシール部材２５が貼着された状態で、カップ本体１１の上部に被着されている。蓋体１２は、軸線Ｍを中心とした円筒状をなす側壁部３１と、側壁部３１の内周面に連設された天面部３２と、シール部材２５を破断する切刃部材３３とを備えている。
【００１８】
側壁部３１の下端には、円環状平面部３４と、装着筒部３５とが設けられている。
円環状平面部３４は、側壁部３１の外周面に連設されており、蓋体１２の径方向外方に向けて延びている。
装着筒部３５は、円環状平面部３４を介して側壁部３１に接続されており、側壁部３１よりも内径及び外径が一段大きくなっている。また、装着筒部３５の内周面には、蓋体１２の径方向内方に向けて突出する係合凸部３５Ａが形成されている。
【００１９】
係合凸部３５Ａの突出した部分における内径は、フランジ部２４の外径よりも小さくなっている。また、円環状平面部３４からの軸線Ｍ方向における高さは、フランジ部２４の厚さとシール部材２５の厚さとの和とほぼ同一となっている。
したがって、装着筒部３５をフランジ部２４に被せると、係合凸部３５Ａがフランジ部２４の下面側に係合し、円環状平面部３４がフランジ部２４の上面にシール部材２５を介して当接され、蓋体１２がカップ本体１１に固定される構成となっている。また、蓋体１２をカップ本体１１に被着したとき、カップ本体１１の軸線Ｌと蓋体１２の軸線Ｍとは、一致する。
【００２０】
側壁部３１は、上方に向かうにしたがってその肉厚が薄くなっており、天面部３２との接触部分よりも上方部分がカップ本体１１内に充填された飲料をユーザ（消費者）が飲む際の飲口部となっている。
また、側壁部３１における切刃部材３３の周方向両端部よりも周方向外側には、図２に示すように、蓋体１２の径方向内方側に向けて突出する案内リブ（案内部）３６が連設されている。案内リブ３６は、シール部材２５を破断するときに、外蓋１３の後述する押下部４３の下方への移動を案内する。また、案内リブ３６の高さは、側壁部３１と同等となっている。
【００２１】
天面部３２は、図１に示すように、蓋体１２の径方向内方に向かうにしたがって上方に向けて突出するように湾曲している。このように天面部３２を湾曲形状とすることで、天面部３２とシール部材２５との間に空間があらかじめ形成される。このため、カップ本体１１内に高温の飲料などの内容液を充填した場合、カップ本体１１の内圧によりシール部材２５が上方に膨れるが、上方に膨れたシール部材２５によって天面部３２が変形することが防止される。
天面部３２には、図１及び図２に示すように、切刃部材３３を回動可能とするための破断開口部３７が形成されている。破断開口部３７は、平面視において切刃部材３３よりも大きく形成されている。これにより、切刃部材３３によるシール部材２５の破断が天面部３２に引っ掛かることなく行われる。
また、天面部３２における破断開口部３７に近接する縁部であってヒンジ部３８の近傍には、上方に向けて突出する係止凸部３９が形成されている。なお、係止凸部３９の高さは、側壁部３１よりも十分に低くなっている。
【００２２】
切刃部材３３は、図１に示すように、上方に向けて突出するほぼ半円筒形状をなしており、破断開口部３７における蓋体１２の径方向内方側の端部に形成されたヒンジ部３８を介して天面部３２に回動可能に接続されている。切刃部材３３において蓋体１２の径方向内方端部は、ヒンジ部３８を介して天面部３２に接続さている。また、切刃部材３３において蓋体１２の径方向外方側の端部には、シール部材２５に向けて突出する切刃３３Ａが形成されている。
また、切刃部材３３におけるヒンジ部３８の両側端部の近傍には、下方に向けて突出するストッパ凸部３３Ｂが形成されている。ストッパ凸部３３Ｂの下端部は、切刃部材３３をヒンジ部３８回りで回動させたときに係止凸部３９と係止可能となっている。
【００２３】
外蓋１３は、蓋体１２のさらに外側において蓋体１２を覆うように被着されている。
外蓋１３は、軸線Ｎを中心とした円筒状をなす円筒部４１と、円筒部４１の上端に配置されて円筒部４１の上端開口部を覆う天板部４２とを備えている。
円筒部４１は、蓋体１２に被着可能となっている。そして、円筒部４１の内周面が蓋体の側壁部３１の外周面と嵌合することで、蓋体１２に外蓋１３が被着される。また、外蓋１３を蓋体１２に被着したとき、蓋体１２の軸線Ｍと外蓋１３の軸線Ｎとは、一致する。
【００２４】
天板部４２には、切刃部材３３を上方から押下するための押下部４３が形成されている。
押下部４３は、天板部４２から下方に向けて突出する凹部であって、その突出量が円筒部４１とほぼ同等となっており、その底部が天面部３２の上面近傍に位置している。また、押下部４３の外周の形状は、図２に示すように、平面視で破断開口部３７の縁部の形状とほぼ同等となっている。
なお、切刃部材３３によりシール部材２５を破断しない通常状態において、押下部４３は、切刃部材３３を押下しないように、押下部４３と切刃部材３３とが平面視で重ならないように周方向でずらされている。例えば、押下部４３は、蓋付カップ容器１の径方向で軸線Ｌ、Ｍ、Ｎに関して切刃部材３３の反対側に配置されている。
【００２５】
次に、以上のような構成の蓋付カップ容器１の開封方法について説明する。
まず、外蓋１３を取り外し、外蓋１３を周方向で回転させて平面視で押下部４３と切刃部材３３とが重なるようにする。そして、外蓋１３の円筒部４１を蓋体１２の側壁部３１に沿って下方に移動させることで、図３に示すように、蓋体１２を外蓋１３に被着していく。このとき、蓋体１２を側壁部３１に沿って下方に移動させると、押下部４３の底部が切刃部材３３と当接する。
そして、押下部４３は、切刃部材３３を下方に向けて押し下げ、切刃部材３３をヒンジ部３８回りで回動させる。このとき、天面部３２に破断開口部３７が形成されているため、切刃部材３３の回動動作が天面部３２により阻害されない。また、案内リブ３６が形成されているため、押下部４３は、外蓋１３の周方向でずれることなく安定して切刃部材３３を押下する。
この回動動作により、切刃３３Ａの先端がシール部材２５と当接し、シール部材２５を破断する。このとき、外蓋１３が破断しないため、カップ本体１１内の密封状態が確保される。そのため、飲料が外部に飛散せず、指などがカップ本体１１内に入り込まない。
【００２６】
また、切刃部材３３がヒンジ部３８回りで回動すると、切刃部材３３に設けられたストッパ凸部３３Ｂの下端角部３３Ｃが係止凸部３９において蓋体１２の径方向外側を向く表面と当接する（図４（ａ）参照）。そして、切刃部材３３がヒンジ部３８回りで回動するにしたがって、ストッパ凸部３３Ｂの下端角部３３Ｃは、弾性変形しながら係止凸部３９の前記表面に沿って上方に向けて摺動する（図４（ｂ）参照）。その後、ストッパ凸部３３Ｂの下端角部３３Ｃが復元変形することで、係止凸部３９の前記表面にストッパ凸部３３Ｂの下端面が当接することにより、ストッパ凸部３３Ｂが係止凸部３９に係止される（図４（ｃ）、図５参照）。これにより、切刃部材３３がヒンジ部３８回りで回動し、切刃部材３３が破断したシール部材２５の開口を塞ぐことが防止される。
以上のようにして、シール部材２５を開封する。その後、ユーザ（消費者）は、外蓋１３を取り外すことで、カップ本体１１内の飲料を飲むことができる。
【００２７】
本実施形態における蓋付カップ容器１によれば、シール部材２５の開封時においてカップ本体１１内の密封状態が確保されるため、飲料が外部に飛散することを防止すると共に、衛生的である。
また、案内リブ３６により押下部４３が外蓋１３の周方向で位置決めされるため、押下部４３による安定した切刃部材３３の押下が行える。
そして、破断開口部３７により切刃部材３３の移動が天面部３２により阻害されず、押下部４３による切刃部材３３の押下が確実に行える。
さらに、切刃部材３３がヒンジ部３８を介して天面部３２に接続することで、シール部材２５の破断後に切刃部材３３が分離することを防止できる。
また、ストッパ凸部３３Ｂを係止凸部３９に係止することで、シール部材２５の破断後に切刃部材３３がヒンジ部３８回りで再び回動してシール部材２５に形成された開口を塞ぐことを防止できる。
【００２８】
次に、本発明における蓋付カップ容器の第２の実施形態について説明する。なお、ここで説明する実施形態は、その基本的構成が上述した第１の実施形態と同様であり、上述の第１の実施形態に別の要素を付加したものである。したがって、図６及び図７においては、図１から図５と同一構成要素に同一符号を付し、この説明を省略する。
【００２９】
本実施形態における蓋付カップ容器５０は、図６に示すように、カップ本体１１と、蓋体５１と、外蓋１３とを備えている。
蓋体５１は、側壁部３１と、天面部３２と、切刃部材３３とを備えている。
側壁部３１には、図６及び図７に示すように、破断開口部３７の縁部を囲む案内壁部（案内部）５２が連設されている。
案内壁部５２は、上述した第１の実施形態における案内リブ３６と同様に、シール部材２５を破断するときに、外蓋１３の押下部４３の外周面を囲むことで、押下部４３の下方への移動を案内する。また、案内壁部５２の高さは、側壁部３１と同等となっている。そして、案内壁部５２は、上述した第１の実施形態における係止凸部３９と同様に、切刃部材３３をヒンジ部３８回りで回動させたときに係止凸部３９と係止可能となっている。
【００３０】
以上のような構成の蓋付カップ容器５０の開封方法は、上述した第１の実施形態における蓋付カップ容器１と同様である。すなわち、平面視で押下部４３と切刃部材３３とが重なるようにした状態で、外蓋１３を下方に移動させる。このとき、押下部４３の外周面が案内壁部５２に沿って下方に向けて移動するため、押下部４３の移動が安定する。
そして、押下部４３は、切刃部材３３を下方に向けて押し下げ、切刃部材３３をヒンジ部３８回りで回動させる。このように切刃部材３３を回動させることで、切刃３３Ａがシール部材２５を破断して開封する。このとき、ストッパ凸部３３Ｂは、案内壁部５２に係止される。これにより、切刃部材３３がヒンジ部３８回りで回動し、切刃部材３３が破断したシール部材２５の開口を塞ぐことが防止される。
以上のようにして、シール部材２５を開封する。
【００３１】
本実施形態における蓋付カップ容器５０においても、上述した第１の実施形態における蓋付カップ容器１と同様の作用、効果を奏するが、押下部４３が案内壁部５２で囲まれた状態で下方に移動するため、押下部４３の移動がより安定する。
【００３２】
なお、本発明は上記実施形態に限定されるものではなく、本発明の趣旨を逸脱しない範囲において種々の変更を加えることができる。
例えば、シール部材の開封構造は、外蓋を蓋体からいったん取り外した後に再び外蓋を蓋体に被着させることによって押下部が切刃部材を押下して開封しているが、外蓋と蓋体とを相対的に軸周りで回動させることにより押下部が切刃部材を押下する構成としてもよい。
また、シール部材に形成された開口が切刃部材により再び塞がれなければ、ストッパ凸部を係止凸部に係止する構成としなくてもよい。
そして、切刃部材は、ヒンジ部を中心として回動可能となっているが、他の構造としてもよい。
さらに、切刃部材の押下時にシール部材と天面部との双方に開口を形成できれば、天面部に破断開口部を形成しなくてもよい。
また、案内リブ及び案内壁部は、いずれか一方に限らず、双方形成してもよい。そして、案内リブ及び案内壁部は、押下部による切刃部材の押下を安定して行えれば双方を形成しなくてもよい。
さらに、シール部材は、アルミ蒸着シートなどのバリア性シート材で構成されたものに限らず、カップ本体内の内容物に応じて適宜変更してもよい。
【産業上の利用可能性】
【００３３】
この発明によれば、切刃部材により開封する際に指などがカップ本体内の内容物に触れることなく衛生的であると共に、内容物が外部に飛散することを防止できる蓋付カップ容器に関して、産業上の利用可能性が認められる。
【図面の簡単な説明】
【００３４】
【図１】本発明の第１の実施形態における蓋付カップ容器を示す軸方向断面図である。
【図２】図１の平面図である。
【図３】開封動作を示す説明図である。
【図４】切刃部材の回動動作を示す説明図である。
【図５】開封状態を示す説明図である。
【図６】本発明の第２の実施形態における蓋付カップ容器を示す軸方向断面図である。
【図７】図６の平面図である。
【符号の説明】
【００３５】
１，５０  蓋付カップ容器
１１  カップ本体
１２，５１  蓋体
１３  外蓋
２１  開口部
２５  シール部材
３２  天面部
３３  切刃部材
３３Ｂ  ストッパ凸部
３６  案内リブ（案内部）
３７  破断開口部
３８  ヒンジ部
３９  係止凸部
４３  押下部
５２  案内壁部（案内部）
【図１】
0005124264.tif 000002
【図２】
0005124264.tif 000003
【図３】
0005124264.tif 000004
【図４】
0005124264.tif 000005
【図５】
0005124264.tif 000006
【図６】
0005124264.tif 000007
【図７】
0005124264.tif 000008